(57)【特許請求の範囲】
【請求項１】
各コマ画像を記録する領域の先端と後端にパーフォレーションが設けられ且つ第１コマ目の先端のパーフォレーションの前に１つのパーフォレーションが設けられた第１の写真フイルムと、各コマ画像を記録する領域の先端と後端にそれぞれ幅の異なるパーフォレーションが設けられ且つ第１コマ目の先端のパーフォレーションの前及び最終コマの後端のパーフォレーションの後にそれぞれ１つのパーフォレーションが設けられた第２の写真フイルムとの２種類の写真フイルムのコマ画像を読み取るフイルムスキャナであって、写真フイルムを順方向に給送してコマ画像を読み取る場合には、先端のパーフォレーションのエッジを基準とした所定の読取開始位置からコマ画像を読み取り、前記写真フイルムを逆方向に給送してコマ画像を読み取る場合には、後端のパーフォレーションのエッジを基準とした所定の読取開始位置からコマ画像を読み取るフイルムスキャナにおいて、
前記写真フイルムに設けられたパーフォレーションの総数をカウントすることにより前記第１の写真フイルムか第２の写真フイルムかを判別するフイルム判別手段と、
前記フイルム判別手段によって第２の写真フイルムであることが判別され、且つ該写真フイルムを逆方向に給送してコマ画像を読み取る場合には、後端のパーフォレーションのエッジを基準とした前記所定の読取開始位置を、先端と後端のパーフォレーションの幅の差分だけオフセットした位置にする読取開始位置補正手段と、
を備えたことを特徴とするフイルムスキャナ。
【請求項２】
各コマ画像を記録する領域の先端と後端にパーフォレーションが設けられ且つ第１コマ目の先端のパーフォレーションの前に１つのパーフォレーションが設けられた第１の写真フイルムと、各コマ画像を記録する領域の先端と後端にそれぞれ幅の異なるパーフォレーションが設けられ且つ第１コマ目の先端のパーフォレーションの前及び最終コマの後端のパーフォレーションの後にそれぞれ１つのパーフォレーションが設けられた第２の写真フイルムとの２種類の写真フイルムのコマ画像を読み取るフイルムスキャナであって、写真フイルムを順方向に給送してコマ画像を読み取る場合には、先端のパーフォレーションのエッジを基準とした所定の読取開始位置からコマ画像を読み取り、前記写真フイルムを逆方向に給送してコマ画像を読み取る場合には、後端のパーフォレーションのエッジを基準とした所定の読取開始位置からコマ画像を読み取るフイルムスキャナにおいて、
前記写真フイルムに設けられた先端と後端のパーフォレーションの幅の差に基づいて前記第１の写真フイルムか第２の写真フイルムかを判別するフイルム判別手段と、
前記フイルム判別手段によって第２の写真フイルムであることが判別され、且つ該写真フイルムを逆方向に給送してコマ画像を読み取る場合には、後端のパーフォレーションのエッジを基準とした前記所定の読取開始位置を、先端と後端のパーフォレーションの幅の差分だけオフセットした位置にする読取開始位置補正手段と、
を備えたことを特徴とするフイルムスキャナ。
【発明の詳細な説明】
【０００１】
【発明の属する技術分野】
本発明はフイルムスキャナに係り、特に写真フイルムに記録されたコマ画像の読み取りを行うフイルムスキャナに関する。
【０００２】
【従来の技術】
従来、図８に示すような新規格の写真フイルム（以下、ＡＰＳ  （Ａｄｖａｎｃｅｄ  ｐｈｏｔｏ  ｓｙｓｔｅｍ  ）  フイルムと称す。）が提案されている。このフイルム１４には各コマ位置を示すパーフォレーション１４Ａ、１４Ｂが穿設され、また、フイルム全面又はフイルム縁部に磁気記録層が形成されている。パーフォレーション１４Ａ、１４Ｂは各コマ画像の記録領域の先端と後端に１個ずつ穿設され、各コマ画像の記録領域を示す基準となる。また、フイルムの先頭に１個のパーフォレーションが穿設される。即ち、先頭から一対のパーフォレーション１４Ａ、１４Ｂが所定間隔毎に穿設される。尚、以下、各コマ画像領域のフイルム先頭側のパーフォレーション１４ＢをＭ（Ｍｅｔｅｒｉｎｇ）パーフォレーション１４Ｂと称し、後端側のパーフォレーション１４ＡをＡ（Ａｎｔｉｃｉｐａｔｈｏｎ）パーフォレーション１４Ａと称す（フイルムの先頭のパーフォレーションも以下においてはＡパーフォレーション１４Ａと称す）。
【０００３】
上記写真フイルムのフイルム縁部の磁気記録層は、磁気情報を記録するための磁気トラック１４Ｃとして使用される。この磁気トラック１４Ｃには、磁気ヘッドを有するカメラによってコマ毎の撮影条件、ハイビジョン画像、パノラマ画像及び通常画像等のアスペクト非を示すプリントフォーマット、撮影日時、写し込まれる画像の天地左右、被写体距離、１画面内における主要被写体の位置等を示す磁気情報が記録される。
【０００４】
また、上記磁気トラック１４Ｃには、磁気情報に重ねて光学情報が記録される。例えば、フイルムカートリッジの出荷前にフイルムＩＤ番号、コマ数、フイルムの種類、コマ番号等を示す情報がバーコードで記録され、また、撮影時には、前記バーコードと重ならない位置にプリントフォーマット、撮影条件等の情報がカメラ内蔵の光源によって所定の記録フォーマットで露光されて記録される。
【０００５】
このようなＡＰＳフイルムのラボ（現像所）からの返却形態として、現像済みの１ロール分のフイルムをフイルムカートリッジに収納して返却することが提案されている。また、ＡＰＳフイルムに対応した関連機器（カメラ、フイルムスキャナ等）が提案されている。
一方、従来から３５ｍｍサイズフイルムにレンズを付けたレンズ付きフイルムユニット「写ルンですＨｉ」（商品名）が知られているが、このようなレンズ付きフイルムユニット（以下、ＬＦと略称する。）においてもＡＰＳ関連機器に対応した写真フイルムを使用することが提案されている。この写真フイルム（以下、ＬＦ用のＡＰＳフイルムと称す。）を上記一般のＡＰＳフイルムに対応させて図９に示す（図９（Ａ）は、一般のＡＰＳフイルムを示し、図９（Ｂ）は、ＬＦ用のＡＰＳフイルムを示す）。尚、一般のＡＰＳフイルムとＬＦ用のＡＰＳフイルムとで対応する構成部分には同じ記号を記す。
【０００６】
同図に示すように、一般のＡＰＳフイルムとＬＦ用のＡＰＳフイルムは、一対のＡパーフォレーション１４Ａ及びＭパーフォレーション１４Ｂが所定間隔毎に穿設されており、基本的に同様の構成を有するが、ＬＦ用のＡＰＳフイルムの方が一般のＡＰＳフイルムよりフイルムの最後にパーフォレーション（Ｍパーフォレーション１４Ｂ）が１個多く穿設されている。
【０００７】
また、図１０（Ａ）の一般のＡＰＳフイルムと図１０（Ｂ）のＬＦ用のＡＰＳフイルムのパーフォレーションの規格を示した図から分かるように、ＬＦ用のＡＰＳフイルムのＡパーフォレーション１４Ａの幅は、一般のＡＰＳフイルムのＡパーフォレーション１４Ａに比べてフイルム後端側に１ｍｍ広く穿設されている。このため、ＬＦ用のＡＰＳフイルムのＡパーフォレーション１４Ａのフイルム先端側のエッジ位置は一般のＡＰＳフイルムと一致しているが、フイルム後端側のエッジ位置は一致していない。
【０００８】
ところで、これらのＡＰＳフイルムはＡＰＳフイルム対応のフイルムプレーヤによって再生される。その際、各コマ画像が記録されている領域は各コマに対応するＡパーフォレーション１４Ａ及びＭパーフォレーション１４Ｂの位置によって特定され、これによって、精度良く所定領域のコマ画像の読み取りが行われる。
【０００９】
例えば、フイルムを先端側から順に引き出してフイルムを搬送し（以下、この搬送方向を順方向とする。）、ラインセンサによってコマ画像を撮像する場合、Ｍパーフォレーション１４Ｂのフイルム先端側のエッジ（初めに検出されるエッジ）の検出を同期信号として、この同期信号を入力した位置から所定量フイルムが搬送された後、画像の取り込みを開始し、画像の取り込みを開始した位置から所定量フイルムが搬送されるまで（Ａパーフォレーション１４Ａのフイルム後端側のエッジから所定量手前の位置まで）画像の取り込みを行うようにしている。このような画像の読み取り制御を行った場合の一般のＡＰＳフイルムとＬＦ用のＡＰＳフイルムの画像の取り込み範囲（画像取り込み範囲）の一例をそれぞれ図４（Ａ）と図４（Ｂ）に示す。これらの図に示すように、一般のＡＰＳフイルムとＬＦ用のＡＰＳフイルムの画像取り込み範囲は、Ａパーフォレーション１４Ａのフイルム先頭側のエッジ位置から等しい距離に位置し、両フイルムの画像取り込み範囲の位置は一致する。
【００１０】
【発明が解決しようとする課題】
しかしながら、コマ画像を読み取る際にフイルムを順方向に搬送するよりもフイルムを巻き戻す方向（以下、この方向を逆方向という。）に搬送させてコマ画像を撮像した方が有利な場合がある。例えば、フイルムを順方向に搬送してあるコマ画像を読み取った後、再度、そのコマ画像を読み取ろうとした場合、一旦そのコマ画像の先端まで巻き戻してから画像の読み取りを行うよりも、フイルムを巻き戻しながら画像の読み取りを行うようにした方が、余分なフイルムの搬送動作を行う必要がなくなり、快適動作となる。
【００１１】
このようにフイルムを逆方向に搬送しながら画像の読み取りを行う場合に、この読み取り制御を上述のようにフイルムを順方向に搬送しながら画像の読み取りを行う場合と同様に行おうとすると、画像の読み取り開始はＡパーフォレーション１４Ａのフイルム後端側のエッジ位置が基準となる。しかしながら、上述したように、ＬＦ用のＡＰＳフイルムのＡパーフォレーション１４Ａのフイルム後端側のエッジ位置は、一般のＡＰＳフイルムのＡパーフォレーション１４Ａのエッジ位置よりフイルム後端側にある。このため、図１１に示すように（同図（Ａ）は一般のＡＰＳフイルムの場合を示し、同図（Ｂ）はＬＦ用のＡＰＳフイルムの場合を示す。）、一般のＡＰＳフイルムとＬＦ用のＡＰＳフイルムの場合で画像取り込み範囲が異なる。即ち、一般のＡＰＳフイルムにおいて順方向にフイルムを搬送した場合と、逆方向にフイルムを搬送した場合とで、画像取り込み範囲を一致させるように制御した場合、一般のＡＰＳフイルムと全く同じ制御でＬＦ用のＡＰＳフイルムの画像の読み取りを行うと、順方向と逆方向のフイルム搬送の場合とで画像取り込み範囲が異なるという問題がある。
【００１２】
本発明はこのような事情に鑑みてなされたもので、フイルムを順方向又は逆方向に搬送させてフイルム画像の読み取りを行う場合に、一般のＡＰＳフイルムとＬＦ用のＡＰＳフイルムの画像取り込み範囲が一致するように画像の読み取り制御を行うフイルムスキャナを提供することを目的とする。
【００１３】
【課題を解決するための手段】
本発明は前記目的を達成するために、各コマ画像を記録する領域の先端と後端にパーフォレーションが設けられ且つ第１コマ目の先端のパーフォレーションの前に１つのパーフォレーションが設けられた第１の写真フイルムと、各コマ画像を記録する領域の先端と後端にそれぞれ幅の異なるパーフォレーションが設けられ且つ第１コマ目の先端のパーフォレーションの前及び最終コマの後端のパーフォレーションの後にそれぞれ１つのパーフォレーションが設けられた第２の写真フイルムとの２種類の写真フイルムのコマ画像を読み取るフイルムスキャナであって、写真フイルムを順方向に給送してコマ画像を読み取る場合には、先端のパーフォレーションのエッジを基準とした所定の読取開始位置からコマ画像を読み取り、前記写真フイルムを逆方向に給送してコマ画像を読み取る場合には、後端のパーフォレーションのエッジを基準とした所定の読取開始位置からコマ画像を読み取るフイルムスキャナにおいて、前記写真フイルムに設けられたパーフォレーションの総数をカウントすることにより前記第１の写真フイルムか第２の写真フイルムかを判別するフイルム判別手段と、前記フイルム判別手段によって第２の写真フイルムであることが判別され、且つ該写真フイルムを逆方向に給送してコマ画像を読み取る場合には、後端のパーフォレーションのエッジを基準とした前記所定の読取開始位置を、先端と後端のパーフォレーションの幅の差分だけオフセットした位置にする読取開始位置補正手段と、を備えたことを特徴としている。
【００１４】
また、前記目的を達成するために、前記フイルムスキャナにおいて、前記写真フイルムに設けられた先端と後端のパーフォレーションの幅の差に基づいて前記第１の写真フイルムか第２の写真フイルムかを判別するフイルム判別手段と、前記フイルム判別手段によって第２の写真フイルムであることが判別され、且つ該写真フイルムを逆方向に給送してコマ画像を読み取る場合には、後端のパーフォレーションのエッジを基準とした前記所定の読取開始位置を、先端と後端のパーフォレーションの幅の差分だけオフセットした位置にする読取開始位置補正手段と、を備えたことを特徴としている。
【００１５】
本発明によれば、フイルムスキャナに装填された写真フイルムが前記第１の写真フイルムか第２の写真フイルムかをフイルム判別手段によって前記写真フイルムに設けられたパーフォレーションの総数をカウントすることにより又は前記写真フイルムに設けられた先端と後端のパーフォレーションの幅の差に基づいて判別し、前記写真フイルムが第２の写真フイルムと判別され、且つ該写真フイルムを逆方向に給送してコマ画像を読み取る場合には、読取開始位置補正手段によって、後端のパーフォレーションのエッジを基準とした前記所定の読取開始位置を、先端と後端のパーフォレーションの幅の差分だけオフセットした位置にする。
【００１６】
これにより、逆方向に第１の写真フイルム又は第２の写真フイルムを給送してコマ画像読み取る場合に、写真フイルムを順方向に給送してコマ画像を読み取る場合の画像読み取り制御と同様の制御で第１の写真フイルムと第２の写真フイルムの画像取り込み範囲を一致させることができる。
【００１７】
【発明の実施の形態】
以下添付図面に従って本発明に係るフイルムスキャナの好ましい実施の形態を詳説する。
図１は本発明に係るフイルムスキャナの一実施の形態を示した構成図である。このフイルムスキャナは、主として照明用の光源（蛍光管）６４、ＣＣＤラインセンサ５２、画像信号処理装置５４、光学情報読取装置５６、パーフォレーション検出装置５８、磁気情報記録再生装置６０、フイルム搬送制御装置６２等を備えている。尚、本フイルムスキャナは一般のＡＰＳフイルム及びＬＦ用のＡＰＳフイルムのフイルム画像を再生するものである。
【００１８】
同図に示すようにＣＣＤラインセンサ５２から光源６４によって照明されて図示しない赤外線カットフィルタ及びフイルム１４を透過した画像光を図示しないレンズを介して撮像し、電気信号に変換して画像信号処理装置５４に入力する。画像信号処理装置５４は、ＣＣＤラインセンサ５２から入力した信号に白バランス調整、γ補正等の各種の信号処理を施して映像信号を生成し、この映像信号を図示しないモニタＴＶ等の表示装置に出力する。
【００１９】
光学情報検出装置５６は光センサ５６Ａを含み、この光センサ５６Ａを介してフイルムカートリッジ１０のＩＤ番号等を示すバーコードや、プリントフォーマット（Ｃ，Ｈ，Ｐサイズ）を示すファットビット（ＦＡＴ  ＢＩＴ）等の光学情報を読み取る。
パーフォレーション検出装置５８は、パーフォレーションセンサ５８Ａとパーフォレーションセンサ５８Ｂとを含み、フイルム１４に穿設されたパーフォレーション１４Ａ、１４Ｂを検出する。パーフォレーションセンサ５８Ａは、パーフォレーション１４Ａ、１４Ｂを検出することにより各コマ画像領域の位置を検出し、一方、パーフォレーションセンサ５８Ｂは、パーフォレーション１４Ａ、１４Ｂを検出することにより各コマに対応した磁気トラック１４Ｃの位置を検出する。
【００２０】
磁気情報記録再生装置６０は、再生ヘッド６０Ａ、記録ヘッド６０Ｂを含み、再生ヘッド６０Ａを介してフイルム１４の磁気トラック１４Ｃに記録されている磁気情報の読み取りを行うとともに、記録ヘッド６０Ｂを介して磁気トラック１４Ｂに磁気情報の書き込みを行う。
フイルム搬送制御装置６２は、キャプスタンローラ６２Ａや巻取軸６２Ｂ、スプール軸（スプール１２と嵌合してスプールを回転させる軸）等のフイルム駆動装置を含み、キャプスタンローラ６２Ａの回転量をパルスジェネレータ等で検出し、フイルムの搬送距離や搬送速度を制御する。
【００２１】
制御部５０は、上記各種装置に制御信号を出力して各装置の動作を制御する。尚、詳細は後述する。
図２は、上記フイルムスキャナのフイルム搬送路に設置された各センサの配置を示した図である。
同図に示すように、ＣＣＤラインセンサ５２、パーフォレーションセンサ５８Ａ、光センサ５６Ａは同ライン上に配置され、パーフォレーションセンサ５８Ｂは、隣接する再生ヘッド６０Ａと記録ヘッド６０Ｂの記録ヘッド６０Ｂと同ライン上に配置される。
【００２２】
次に、上記制御部５０の画像読み取り制御について説明する。まず、フイルムを順方向に搬送しながら、フイルム画像を読み取る場合について説明する。
フイルムを順方向に搬送するとパーフォレーション検出装置５８から図３（Ａ）、（Ｂ）に示すようにＡパーフォレーション１４Ａ、Ｍパーフォレーション１４Ｂの検出を示す検出信号が制御部５０に入力される。尚、図３（Ａ）は、一般のＡＰＳフイルムの場合を示し、図３（Ｂ）はＬＦ用のＡＰＳフイルムの場合を示す。
【００２３】
制御部５０は、この検出信号からＭパーフォレーションセンサ１４Ｂのパルスの立ち下がりを検出し、この立ち下がりを検出すると、この時点からのフイルムの搬送距離をフイルム搬送制御装置６２から検出する。そして、フイルムが所定の搬送量（画像読み取り開始遅延量）だけ搬送されたことを検出すると、ＣＣＤラインセンサ５２によって画像の読み取りを開始する。画像の読み取りを開始してからフイルムが所定の画像読み取り量（Ａパーフォレーション１４Ａのフイルム後端側のエッジ位置まで上記画像読み取り開始遅延量となる位置まで）搬送されたことを検出すると、画像の読み取りを停止する。
【００２４】
これにより、一般のＡＰＳフイルムの場合には図４（Ａ）の斜線で示す領域（画像取り込み範囲）の画像が取り込まれ、ＬＦ用のＡＰＳフイルムの場合には図４（Ｂ）の斜線で示す領域（画像取り込み範囲）の画像が取り込まれる。
次に、フイルムを逆方向に搬送しながらフイルム画像を読み取る際の制御部５０の制御手順について説明する。
【００２５】
フイルムを逆方向に搬送しながらフイルム画像を読み取る例として、モニタ画面にインデックス画像を表示するために行うプリスキャンがある。図５のフローチャートを用いてこのプリスキャンの手順について説明する。
フイルムスキャナにフイルムカートリッジ１０が挿入されると（ステップＳ８）、まず、フイルム１４をローディングし（ステップＳ１０）、フイルム１４の先頭から後端までフイルム１４を高速搬送させ、磁気トラック１４Ｃに記録された磁気情報及び光学情報を磁気情報記録再生装置６０及び光学情報読取装置５６によって読み取る。
【００２６】
次に、フイルム１４を後端から先頭の１コマ目まで中速で搬送しながらフイルム画像をＣＣＤラインセンサ５２を介して画像信号処理装置５４によって読み込み、インデックス画像（複数の簡易コマ画像を一画面内に配列したもの）を構成してモニタ画面にこのインデックス画像を表示させる（ステップＳ１４）。そして、１コマ目までフイルム画像の読み取りが終了したところで、フイルムの搬送を停止させ（ステップＳ１６）、メインスキャン命令を待機する（ステップＳ１８）。
【００２７】
このようにフイルムスキャナはフイルムカートリッジが挿入された際に、プリスキャンを行いフイルムを逆方向に搬送してフイルム画像の読み取りを行うが、このときに、本発明は、フイルムスキャナに装填された写真フイルムが一般のＡＰＳフイルムでもＬＦ用のＡＰＳフイルムでも適正な画像取り込み範囲となるように以下の処理を行う。
【００２８】
まず、上記ステップＳ１２においてフイルム１４を先頭から後端まで高速搬送する際に、制御部５０は写真フイルムの種類を判別する。即ち、一般のＡＰＳフイルムかＬＦ用のＡＰＳフイルムかを判断する。
写真フイルムの種類を判別する第１の方法として、フイルムの先頭から後端までのパーフォレーションの数によって判断することができる。制御部５０は、パーフォレーションセンサ５８Ａを介してパーフォレーション検出装置５８によって検出されるＡパーフォレーション１４Ａ及びＭパーフォレーション１４Ｂの数をカウントし、フイルム先頭から後端までのＡパーフォレーション１４Ａ及びＭパーフォレーション１４Ｂの総数が奇数か又は偶数かを判断する。Ａパーフォレーション１４Ａ及びＭパーフォレーション１４Ｂの総数が奇数の場合には、写真フイルムの種類を一般のＡＰＳフイルムと判定し、偶数の場合には、装填された写真フイルムの種類をＬＦ用のＡＰＳフイルムと判定する。
【００２９】
また、写真フイルムの種類を判別する第２の方法として、Ａパーフォレーション１４Ａの幅によって判断することができる。制御部５０にはパーフォレーションセンサ５８Ａを介してパーフォレーション検出装置５８からパーフォレーション５８Ａ、５８Ｂの検出を示す検出信号が入力される。上述したように一般のＡＰＳフイルムの場合、図３（Ａ）に示すような検出信号が入力され、ＬＦ用のＡＰＳフイルムの場合、図３（Ｂ）に示すような検出信号が入力される。これらの図３（Ａ）、図４（Ｂ）に示すようにＡパーフォレーション５８Ａを検出した際のパルス幅が一般のＡＰＳフイルムの場合とＬＦ用のＡＰＳフイルムの場合とで異なるため、制御部５０はＡパーフォレーション５８Ａのパルス幅を測定し、パルス幅が一般のＡＰＳフイルムのＡパーフォレーション５８Ａに対応する値（２ｍｍ）の場合には一般のＡＰＳフイルムと判断し、パルス幅がＬＦ用のＡＰＳフイルムのＡパーフォレーション５８Ａに対応する値（３ｍｍ）の場合にはＬＦ用のＡＰＳフイルムと判断する。
【００３０】
尚、一般のＡＰＳフイルムの場合は、Ａパーフォレーション１４Ａ及びＭパーフォレーション１４Ｂの幅が等しく、ＬＦ用のＡＰＳフイルムの場合は、Ａパーフォレーション１４Ａ及びＭパーフォレーション１４Ｂの幅が異なるため、Ａパーフォレーション１４Ａ及びＭパーフォレーション１４Ｂの幅を検出し、これらの幅を比較して写真フイルムの種類を判別することもできる。
【００３１】
以上のように写真フイルムの種類を判別し、この結果から上述したようにステップＳ１４においてフイルムを逆方向に搬送しながらフイルム画像を取り込む際に、以下の制御を行う。尚、ステップＳ１４においてフイルムを逆方向に搬送している場合にはパーフォレーション検出装置５８から図６に示すような検出信号が検出される（図６（Ａ）は一般のＡＰＳフイルムの場合を示し、図６（Ｂ）はＬＦ用のＡＰＳフイルムの場合を示す）。
【００３２】
ステップＳ１２において、写真フイルムの種類が一般のＡＰＳフイルムであると判断した場合、制御部５０はＡパーフォレーション１４Ａを示すパルスの立ち下がりを検出すると、この立ち下がりを検出した時点からのフイルムの搬送距離をフイルム搬送制御装置６２から検出する。そして、フイルムが上記画像読み取り開始遅延量だけ搬送されたことを検出した時点から、ＣＣＤラインセンサ５２によって画像の読み取りを開始する。そして、フイルムが上記画像読み取り量だけ搬送されたことを検出した時点で画像の読み取りを停止する。尚、この制御手順は、上述したようにフイルムを順方向に搬送させてフイルム画像を読み取る際の手順と同じである。
【００３３】
一方、ステップＳ１２において、写真フイルムの種類がＬＦ用のＡＰＳフイルムであると判断した場合、制御部５０はＡパーフォレーション１４Ａを示すパルスの立ち下がりを検出すると、この立ち下がりを検出した時点からのフイルムの搬送距離をフイルム搬送制御装置６２から検出する。そして、フイルムが上記画像読み取り開始遅延量に１ｍｍ加算した量だけ搬送されたことを検出した時点から、ＣＣＤラインセンサ５２によって画像の読み取りを開始する。そして、フイルムが上記画像読み取り量だけ搬送されたことを検出した時点で画像の読み取りを停止する。即ち、制御部５０はＡパーフォレーション１４Ａを示すパルスの立ち下がりを検出すると、一般のＡＰＳフイルムよりＡパーフォレーション１４Ａの幅が広い分（１ｍｍ）だけＣＣＤラインセンサ５２による画像の読み取りの開始を遅らせる。
【００３４】
図７は、この制御によって読み取られるＬＦ用のＡＰＳフイルムにおける画像取り込み範囲を示している。同図及び図１１（Ｂ）に示すように、フイルムを順方向に搬送して画像の読み取りを行う場合と、フイルムを逆方向に搬送して画像の読み取りを行う場合とで画像取り込み範囲が一致する。
尚、上記実施の形態では、一般のＡＰＳフイルムにおいて、画像取り込み範囲が各コマのＡパーフォレーション１４Ａ及びＭパーフォレーション１４Ｂの外側のエッジ位置から画像読み取り開始遅延量だけ内側の範囲となるような場合について説明したが、これに限らず、一般のＡＰＳフイルムにおいて画像取り込み範囲が任意の場合に、フイルムを逆方向に搬送してフイルム画像を読み取る際には、ＬＦ用のＡＰＳフイルムの画像の読み込み開始位置を一般のＡＰＳフイルムよりＡパーフォレーション１４Ａの幅が広い分（１ｍｍ）だけ遅延させるようにすればよい。
【００３５】
また、上記実施の形態においては、コマ画像の読み取り制御について説明したが、これと同様の制御を磁気情報及び光学情報の読み取り制御に適用することができる。
【００３６】
【発明の効果】
以上説明したように本発明に係るフイルムスキャナによれば、逆方向に第２の写真フイルムを給送してコマ画像を読み取る場合に、後端のパーフォレーションのエッジを基準とした読取開始位置を、先端と後端のパーフォレーションの幅の差分だけオフセットした位置にするようにしたため、順方向に写真フイルムを給送してコマ画像を読み取る場合の制御と同様の制御で簡単に第１の写真フイルムと第２の写真フイルムの画像取り込み範囲を一致させることができる。
【図面の簡単な説明】
【図１】図１は、本発明に係るフイルムスキャナの一実施の形態を示した構成図である。
【図２】図２は、フイルムスキャナのフイルム搬送路に設置された各センサの配置を示した図である。
【図３】図３は、一般のＡＰＳフイルム及びＬＦ用のＡＰＳフイルムを順方向に搬送した場合に検出されるＡパーフォレーション及びＭパーフォレーションの検出信号を示した図である。
【図４】図４は、一般のＡＰＳフイルム及びＬＦ用のＡＰＳフイルムを順方向に搬送して画像の読み取りを行った場合の画像取り込み範囲を示した図である。
【図５】図５は、フイルムプレーヤにおけるプリスキャンの手順を示したフローチャートである。
【図６】図６は、一般のＡＰＳフイルム及びＬＦ用のＡＰＳフイルムを逆方向に搬送した場合に検出されるＡパーフォレーション及びＭパーフォレーションの検出信号を示した図である。
【図７】図７は、本発明に係るフイルムスキャナにおいてＬＦ用のＡＰＳフイルムを逆方向に搬送した場合の画像取り込み範囲を示した図である。
【図８】図８は、ＡＰＳフイルムを示した図である。
【図９】図９は、一般のＡＰＳフイルムとＬＦ用のＡＰＳフイルムを示した図である。
【図１０】図１０は、一般のＡＰＳフイルムとＬＦ用のＡＰＳフイルムのパーフォレーションの規格を示した図である。
【図１１】図１１は、一般のＡＰＳフイルム及びＬＦ用のＡＰＳフイルムを逆方向に搬送して同じ制御で画像の読み取りを行った場合の画像取り込み範囲を示した図である。
【符号の説明】
１０…フイルムカートリッジ
１４…フイルム
１４Ａ…Ａパーフォレーション
１４Ｂ…Ｍパーフォレーション
５２…ＣＣＤラインセンサ
５４…画像信号処理装置
５６…光学情報読取装置
５８…パーフォレーション検出装置
６０…磁気情報記録再生装置
６２…フイルム搬送制御装置
【図１】
0003605936.tif 000002
【図２】
0003605936.tif 000003
【図３】
0003605936.tif 000004
【図４】
0003605936.tif 000005
【図５】
0003605936.tif 000006
【図６】
0003605936.tif 000007
【図７】
0003605936.tif 000008
【図８】
0003605936.tif 000009
【図９】
0003605936.tif 000010
【図１０】
0003605936.tif 000011
【図１１】
0003605936.tif 000012